(57)【要約】【課題】玩具、ペットボトル、コーヒー缶、哺乳瓶、ジュース瓶などを把持してカバン、椅子などにくくり付けることができる吊り下げストラップを提供する。【解決手段】本考案による吊り下げストラップ１００は、巻き付け部１ａと吊り下げ部１ｂからなる帯状のストラップ１と、吊り下げ部１ｂの先端を折り返して設けた吊り下げ輪２と、巻き付け部１ａと吊り下げ部１ｂとの間に取り付けられるリング３と、巻き付け部１ａの内側面にプリントされる滑り止め材５と、巻き付け部１ａの外側面に設けられる面ファスナー４と、を備える。【選択図】図１
0003155500.tif 000002
【実用新案登録請求の範囲】
【請求項１】
巻き付け部と吊り下げ部からなる帯状のストラップと、
前記吊り下げ部の先端を折り返して設けた吊り下げ輪と、
前記巻き付け部と前記吊り下げ部の間に取り付けられるリングと、
前記巻き付け部の内側面にプリントされる滑り止め材と、
前記巻き付け部の外側面に設けられる面ファスナーと、が備えられたことを特徴とする吊り下げストラップ。
【請求項２】
前記吊り下げ部に、吊り上げ輪がさらに設けられていることを特徴とする請求項１に記載の吊り下げストラップ。
【考案の詳細な説明】
【技術分野】
【０００１】
本考案は、吊り下げストラップに係り、より詳細には、玩具、ペットボトル、コーヒー缶、哺乳瓶、ジュース瓶、などを確実に把持してカバン、椅子などから吊り下げることができる吊り下げストラップに関する。
【背景技術】
【０００２】
特許文献１には、飲料用ボトルを吊り下げる紐が示される。この紐には、先端の輪の大きさを調整する締め具が設けられる。輪は飲料用ボトルのキャップ下側のくぼみにくくり付け、輪を締めて吊り下げる。この紐は、容器にくくり付ける箇所がないコーヒー缶などには向いていない。
【０００３】
特許文献２には、吊り下げ具が示される。この吊り下げ具はペットボトルを逆さに吊るして内部を乾燥させるため、滑り止め材を塗着した帯をペットボトルに巻き付けて留め、帯の周囲３カ所から上方に延びるフックの付いた掛け具で吊り下げる。帯を巻き付けるので、キャップのない容器にも適用できるが、掛け具はひっかけるだけであり、カバン、椅子などに外れないようにくくり付けることができない。
【先行技術文献】
【特許文献】
【０００４】
【特許文献１】特開２０００−１１３号公報
【特許文献２】特開２００８−１３６８２７号公報
【考案の概要】
【考案が解決しようとする課題】
【０００５】
本考案の目的は、玩具、ペットボトル、コーヒー缶、哺乳瓶、ジュース瓶などを確実に把持してカバン、椅子などにくくり付けることができる吊り下げストラップを提供することにある。
【課題を解決するための手段】
【０００６】
上記の目的を達成するため、本考案による吊り下げストラップは、巻き付け部と吊り下げ部からなる帯状のストラップと、前記吊り下げ部の先端を折り返して設けた吊り下げ輪と、前記巻き付け部と前記吊り下げ部の間に取り付けられるリングと、前記巻き付け部の内側面にプリントされる滑り止め材と、前記巻き付け部の外側面に設けられる面ファスナーと、が備えられたものである。
【０００７】
前記吊り下げ部に、吊り上げ輪がさらに設けられていることを特徴とする。
【考案の効果】
【０００８】
本考案による吊り下げストラップによれば、ストラップの吊り下げ部に吊り下げ輪を設けたので、カバンの取っ手や手すりなど両端が閉じている部材にも確実にくくり付けできる。また、滑り止め材をプリントした巻き付け部を玩具、缶、瓶、ペットボトルなどに巻き付けるので、すべらないように把持できる。吊り下げストラップは帯状であるから、丸めて小さく収納できる。また、１本の部材で構成することができる。
【０００９】
吊り上げ輪を設けたので、例えば、ペットボトルに吊り下げ部を掛け回して、吊り下げ部を吊り上げ輪に通して吊り上げれば、ペットボトルのキャップが上向くようにできる。
【図面の簡単な説明】
【００１０】
【図１】本考案による吊り下げストラップ（構成例１）の斜視図である。
【図２】図１の吊り下げストラップ（構成例１）の側面図である。
【図３】本考案による吊り下げストラップ（構成例２）の側面図である。
【図４】図１の吊り下げストラップ（構成例１）を玩具（うさぎのぬいぐるみ）に巻き付け、手すりに吊り下げた例である。
【図５】図１の吊り下げストラップ（構成例１）を玩具（ふくろうのぬいぐるみ）に巻き付け、カバンの取っ手から吊り下げた例である。
【図６】図１の吊り下げストラップ（構成例１）をコーヒー缶に巻き付け、手首から吊り下げた例である。
【図７】図３の吊り下げ用ストラップ（構成例２）をペットボトルに巻き付け、吊り上げ輪を介して吊り上げ、手すりに吊り下げた例である。
【考案を実施するための形態】
【００１１】
以下、図面を参照して本考案による吊り下げストラップを説明する。
【実施例】
【００１２】
図１は、本考案による吊り下げストラップ（構成例１）の斜視図である。吊り下げストラップ１００は、本実施例では長さが約７０ｃｍ、巾が約２．５ｃｍの一続きの布製の帯である。ストラップ１は、巻き付け部１ａと吊り下げ部１ｂからなる。巻き付け部１ａは、内側に滑り止め材５がプリントされる。滑り止め材５は容器に巻き付けた時、巻き付け部１ａが滑脱しないようにできる。また、外側の面に面ファスナー４が貼り付けられる。面ファスナー４は、フック部４ａとループ部４ｂからなり、フック部４ａが折り返されて、ループ部４ｂの面と結合させたり離したりできる。リング３は、巻き付け部１ａと吊り下げ部１ｂとの間に取り付けられる。リング３は、リング３にストラップ１を通して縫合により取り付けられる。吊り下げ部１ｂは一端が折り返されて吊り下げ輪２が形成される。吊り下げ輪２をカバンの取っ手６などに掛け回して、吊り下げ輪２に巻き付け部１ａをあらかじめくぐらせておく。
【００１３】
図２は、図１の吊り下げストラップ（構成例１）の側面図である。巻き付け部１ａを玩具などに点線のように巻き付ける。巻き付け部１ａの先端は、リング３を通して折り返され、強く締め付けてフック部４ａをループ部４ｂの面に結合させる。フック部４ａをループ部４ｂから離せば、巻き付け部１ａを玩具などから離すことができる。符号１０は縫い目である。
【００１４】
図３は、吊り下げストラップ（構成例２）の側面図である。構成例２の吊り下げストラップ１００は、リング３を取り付ける位置に吊り上げ輪９を設けたものである。吊り上げ輪９は、吊り下げ部１ｂのストラップ１を丸い輪に形成して縫い合わせた。なお、吊り上げ輪９をストラップ１から形成せず、別の部材で形成してもよい。
【００１５】
図４は、図１の吊り下げストラップ（構成例１）を玩具１１、ここではうさぎのぬいぐるみ１１ａに巻き付け、ベビーカーの手すりに吊り下げた例である。吊り下げストラップ１００は、吊り下げ輪２を手すりに掛け回して、吊り下げ輪２に巻き付け部１ａをくぐらせておけば離れることがない。
【００１６】
図５は、図１の吊り下げストラップ（構成例１）を玩具１１、ここではふくろうのぬいぐるみ１１ｂに巻き付け、カバンの取っ手から吊り下げた例である。吊り下げストラップ１００は、カバンの取っ手６に吊り下げ輪２を掛け回して、吊り下げ輪２に巻き付け部１ａをくぐらせておけば離れることがない。
【００１７】
図６は、図１の吊り下げストラップ（構成例１）をコーヒー缶に巻き付け、手首から吊り下げた例である。吊り下げ輪２は手首を通せる大きさとした。吊り下げストラップ１００には、滑り止め材５がプリントされているので、ペットボトルのようなくびれがないコーヒー缶８であっても確実に把持できる。
【００１８】
図７は、図３の吊り下げストラップ（構成例２）をペットボトルに巻き付け、吊り下げ輪２で手すりに吊り下げた例である。吊り上げ輪９によって容器の吊り上げポイントを上昇させることができる。これによって、ペットボトル７のキャップが真上方向を向くようにできる。
【産業上の利用可能性】
【００１９】
本考案は、玩具、ペットボトル、缶、瓶などを確実に把持してカバンなどに吊り下げることができる吊り下げストラップとして好適である。
【符号の説明】
【００２０】
１    ストラップ
１ａ    巻き付け部
１ｂ    吊り下げ部
２    吊り下げ輪
３    リング
４    面ファスナー
４ａ    フック部
４ｂ    ループ部
５    滑り止め材
６    カバンの取っ手
７    ペットボトル
８    コーヒー缶
９    吊り上げ輪
１０    縫い目
１１    玩具
１１ａ    うさぎのぬいぐるみ
１１ｂ    ふくろうのぬいぐるみ
１００    吊り下げストラップ
【図１】
0003155500.tif 000003
【図２】
0003155500.tif 000004
【図３】
0003155500.tif 000005
【図４】
0003155500.tif 000006
【図５】
0003155500.tif 000007
【図６】
0003155500.tif 000008
【図７】
0003155500.tif 000009